(57)【特許請求の範囲】
【請求項１】
建物に設けられたエレベータの乗りかご内の様子を撮像する撮影する監視カメラと、前記監視カメラにより撮影された映像を記録媒体に記録する記録装置と、を備え、当該記録装置は当該記録媒体を着脱可能に装着する装着部を備えたエレベータ乗りかご内監視装置において、
前記記録装置は、前記乗りかご内のかご内操作盤に収容されると共に、通信回線を介してエレベータの異常を監視する監視センタとの通信を行う監視端末装置と前記監視カメラとに接続された制御装置を備え、
前記制御装置は、前記装着部への前記記録媒体の装着の有無を判定する装着判定部と、予め設定された不正取出し判定時間の計時を行う不正判定用タイマと、前記装着部からの前記記録媒体の不正な取出しを検知する不正取出し検知部と、前記監視センタとの通信内容を前記監視端末装置へ指令する通信処理部と、を備えて構成され、
前記通信処理部では、前記不正取出し検知部で前記不正な取出しが検知された後、前記装着判定部による判定結果の未装着が継続した状態で前記不正判定用タイマによる前記不正取出し判定時間の計時が終了した時点で前記通信内容として不正取り出しが行われた旨を前記監視端末装置及び前記通信回線を経由して前記監視センタへ通報することを特徴とするエレベータ乗りかご内監視装置。
【請求項２】
請求項１記載のエレベータ乗りかご内監視装置において、前記記録装置は、前記装着部から前記記録媒体を取り出す際の押圧操作に供されるイジェクトボタンスイッチを備え、前記制御装置は、前記イジェクトボタンスイッチの押下操作を検知するイジェクト操作検知部を備え、前記不正取出し検知部は、前記装着部からの前記記録媒体の取出し時に前記イジェクト操作検知部の検知結果が押圧操作に該当せず、前記装着判定部による判定結果が未装着である場合に不正な取出しを検知することを特徴とするエレベータ乗りかご内監視装置。
【請求項３】
請求項２記載のエレベータ乗りかご内監視装置において、前記不正判定用タイマは、前記不正取出し判定時間の計時を前記不正取出し検知部により前記不正な取出しが検知されたタイミングで行うことを特徴とするエレベータ乗りかご内監視装置。
【発明の詳細な説明】
【技術分野】
【０００１】
本発明は、エレベータの乗りかご内の様子を監視用に撮像した映像を記録媒体に記録する記録装置を備え、記録媒体が記録装置に対して着脱可能なエレベータ乗りかご内監視装置に関する。
【背景技術】
【０００２】
従来、この種のエレベータ乗りかご内監視装置に関連する周知技術として、専用のエレベータ保守員の出動を依頼することなく、収録体の取外しを行うことができるようにした「エレベータ乗りかご内防犯装置」（特許文献１参照）が挙げられる。
【先行技術文献】
【特許文献】
【０００３】
【特許文献１】特開平１０−３１０３４７号公報
【発明の概要】
【発明が解決しようとする課題】
【０００４】
上述した特許文献１に係る技術は、乗りかご内にビデオカメラ（監視カメラ）を備え、このビデオカメラで撮影した映像（撮影データ）をビデオテープ等の収録体（記録媒体）に収録するようにしたエレベータ乗りかご内防犯装置において、乗りかごの運転盤内に収録体への映像収録を行わせるビデオデッキ（記録装置）を収納したものであるが、こうした構成であれば、保守点検作業時に作業者が記録装置から記録媒体を取出し易いという利点がある反面、他の第三者によっても窃盗等で不正な取出しを行い易いため、保守管理上の安全性及び信頼性において問題がある。
【０００５】
本発明は、このような問題点を解決すべくなされたもので、その技術的課題は、記録装置からの記録媒体の不正な取出しを適確に検知できて保守管理上の安全性及び信頼性を向上し得るエレベータ乗りかご内監視装置を提供することにある。
【課題を解決するための手段】
【０００６】
上記技術的課題を解決するため、本発明は、建物に設けられたエレベータの乗りかご内の様子を撮像する撮影する監視カメラと、監視カメラにより撮影された映像を記録媒体に記録する記録装置と、を備え、当該記録装置は当該記録媒体を着脱可能に装着する装着部を備えたエレベータ乗りかご内監視装置において、記録装置は、乗りかご内のかご内操作盤に収容されると共に、通信回線を介してエレベータの異常を監視する監視センタとの通信を行う監視端末装置と監視カメラとに接続された制御装置を備え、制御装置は、装着部への記録媒体の装着の有無を判定する装着判定部と、予め設定された不正取出し判定時間の計時を行う不正判定用タイマと、装着部からの記録媒体の不正な取出しを検知する不正取出し検知部と、監視センタとの通信内容を監視端末装置へ指令する通信処理部と、を備えて構成され、通信処理部では、不正取出し検知部で不正な取出しが検知された後、装着判定部による判定結果の未装着が継続した状態で不正判定用タイマによる不正取出し判定時間の計時が終了した時点で通信内容として不正取り出しが行われた旨を監視端末装置及び通信回線を経由して監視センタへ通報することを特徴とする。
【発明の効果】
【０００７】
本発明のエレベータ乗りかご内監視装置によれば、記録装置からの記録媒体の不正な取出しを記録装置内の制御装置で識別して監視端末装置を経由してエレベータを監視する監視センタ側へ通報する機能が持たされ、通報を受けた監視者が記録媒体の不正な取出しに対して迅速に対応することが可能となるため、記録装置からの記録媒体の不正な取出しを適確に検知できて保守管理上の安全性及び信頼性が向上し、結果として記録媒体の記録装置への未装着状態で監視カメラで撮影される映像が記録（録画）されない時間を極力短くし得るようになる。
【図面の簡単な説明】
【０００８】
【図１】本発明の実施例１に係るエレベータ乗りかご内監視装置を含むエレベータ監視システムの全体を示した概略図である。
【図２】図１に示すエレベータ乗りかご内監視装置に備えられる記録装置の外観構成を斜め上方向から示した斜視図である。
【図３】図２で説明した記録装置の細部構成を周辺装置を含めて示したブロック図である。
【図４】図３で説明した記録装置に備えられる制御装置に係るカード装着検知処理に係る動作処理を示したフローチャートである。
【図５】図４で説明した動作処理を受ける不正取出し検知処理に係る他の動作処理を示したフローチャートである。
【発明を実施するための形態】
【０００９】
以下に、本発明のエレベータ乗りかご内監視装置について、実施例を挙げ、図面を参照して詳細に説明する。
【実施例１】
【００１０】
図１は、本発明の実施例１に係るエレベータ乗りかご内監視装置３０を含むエレベータ監視システムの全体を示した概略図である。このエレベータ監視システムは、建物に設けられたエレベータの乗りかご１内の様子を撮像する撮影するために乗りかご１の上方の天井１ａの所定箇所に設けられた監視カメラ４０、並びに乗りかご１内の図示されない出入口の側方の壁に設けられたかご内操作盤１０に収容されて監視カメラ４０により撮影された映像（撮影データ）を記録媒体に記録する記録装置５０を備えたエレベータ乗りかご内監視装置３０と、エレベータの異常を監視する監視センタ７２と、記録装置５０に接続されると共に、通信回線７１を介して監視センタ７２との通信を行う監視端末装置７０と、を備えて構成される。
【００１１】
かご内操作盤１０は、乗りかご１内において利用者（乗客）用の操作に供される各種ボタンスイッチが設けられた乗客用操作領域１０ａと、この乗客用操作領域１０ａの下方に位置されて保守点検の作業者や管理者等の乗客以外の関係業者の操作に供される各種ボタンスイッチが設けられた関係業者用操作領域１０ｂと、この関係業者用操作領域１０ｂを覆い隠す施錠可能な扉２０と、を有している。乗客用操作領域１０ａに設けられた各種ボタンスイッチは、複数の行先階登録ボタンスイッチ１１、ドア開ボタンスイッチ１２、ドア閉ボタンスイッチ１３等であり、これらは何れもノンロック形式の押ボタンスイッチである。行先階登録ボタンスイッチ１１は、押圧操作されることでかご呼び登録を行う。ドア開ボタンスイッチ１２は、押圧操作されることでかごドア及び乗場ドアを開くことを指令するドア開指令信号を出力する。ドア閉ボタンスイッチ１３は、押圧操作されることでかごドア及び乗場ドアを閉じることを指令するドア閉指令信号を出力する。関係業者用操作領域１０ｂに設けられた各種ボタンスイッチは、低速走行スイッチ２１、空調スイッチ２２等であり、これらは何れもシーソ状に可動な操作ボタンを有するロッカースイッチ（シーソスイッチ）である。低速走行スイッチ２１及び空調スイッチ２２は、操作ボタンの一端側を押圧操作することでオン状態となり、他端側を押圧操作することでオフ状態となる。低速走行スイッチ２１は、オン状態で乗りかご１の走行速度が通常よりも低速に設定される状態となり、オフ状態では通常の速度状態に設定される。空調スイッチ２２は、オン状態で図示されない換気扇及び空調装置を作動させる状態となり、オフ状態では換気扇及び空調装置を作動させない状態となる。
【００１２】
図２は、エレベータ乗りかご内監視装置３０に備えられる記録装置５０の外観構成を斜め上方向から示した斜視図である。また、図３は、記録装置５０の細部構成を周辺装置を含めて示したブロック図である。図２及び図３を参照すれば、エレベータ乗りかご内監視装置３０は、上述した監視カメラ４０と監視端末装置７０に接続される記録装置５０とを備えるもので、記録装置５０は記録媒体としてのＳＤカード５４を着脱可能に装着する装着部としてのカードコネクタ５１と、カードコネクタ５１からのＳＤカード５４の取出しの際に押圧操作に供されるイジェクトボタンスイッチ５２と、ＬＥＤ（発光ダイオード）ランプから成る表示灯５３と、監視端末装置７０と監視カメラ４０とに接続された制御装置６０と、を備えて構成される。
【００１３】
制御装置６０は、データ処理用の演算処理機能を持つＣＰＵやＲＡＭ、ＲＯＭ等の各種メモリを備え、ＲＯＭに書き込まれたコンピュータ用プログラムをＣＰＵで読み込んで実行することで記録装置５０の処理機能に係る制御を行う他、通信ケーブルが接続される図示されない通信ポートを備え、図１中に示されるようにエレベータの保守点検の作業者が携帯する保守端末装置（情報機器）８０が通信ケーブルを介して接続され、この状態で記録装置５０と保守端末装置８０との通信が可能になる。保守点検の作業員は、保守端末装置８０を操作することで付設される表示部８０ａの表示画面上でＳＤカード５４に記録された映像の再生、ＳＤカード５４の空き容量の確認、ＳＤカード５４に記録された映像の自装置への移動（転送）、記録装置５０への各種設定の変更等を行うことができる。
【００１４】
制御装置６０の上述したコンピュータ用プログラムにより設定される機能部は、カードコネクタ５１へのＳＤカード５４の装着の有無を判定する装着判定部６１と、監視カメラ４０からの映像を記録（録画）する録画処理部６２と、イジェクトボタンスイッチ５２の押下操作を検知するイジェクト操作検知部６３と、イジェクトボタンスイッチ５２が押下操作されている場合に所定時間の第１時間を計時する第１のタイマ６４と、第１時間経過後に装着判定部６１によりカードコネクタ５１へのＳＤカード５４の装着状態から非装着状態への移行が判定されたタイミングで所定時間の第２時間を計時する第２のタイマ６５と、カードコネクタ５１からのＳＤカード５４の不正な取出しを検知する不正取出し検知部６６と、不正取出し検知部６６によりカードコネクタ５１からＳＤカード５４の不正な取出しが検知されたタイミングで予め設定された不正取出し判定時間となる所定時間の第３時間を計時する不正判定用タイマとしての第３のタイマ６７と、監視センタ７２との通信内容を監視端末装置７０へ指令する通信処理部６８と、表示灯５３の点灯・消灯を制御する表示処理部６９と、を備えて構成される。
【００１５】
各部の処理機能を具体的に説明すれば、装着判定部６１は、カードコネクタ５１にＳＤカード５４が装着された状態であるか否かの判定を行うものであり、制御装置６０に装着信号が入力されている状態をカードコネクタ５１にＳＤカード５４が装着された状態であると判定し、制御装置６０に装着信号が入力されていない状態をカードコネクタ５１にＳＤカード５４が装着されていない状態であると判定する。録画処理部６２は、監視カメラ４０で撮影された乗りかご１内の撮影データを示す監視カメラ４０からの映像信号をＳＤカード５４に記録（録画）する。イジェクト操作検知部６３は、イジェクトボタンスイッチ５２からの操作信号が制御装置６０に入力された状態をイジェクトボタンスイッチ５２が押下操作された状態であると検知する。第１のタイマ６４は、予め設定された第１時間（例えば３０秒）の計時を行うもので、イジェクト操作検知部６３によりイジェクトボタンスイッチ５２の押下操作が検知されたタイミングで第１時間の計時を開始する。
【００１６】
第２のタイマ６５は、予め設定された第２時間（例えば２時間）の計時を行うもので、第１のタイマ６４による第１時間（３０秒）の計時後、カードコネクタ５１にＳＤカード５４が装着された状態であると装着判定部６１により判定された状態からカードコネクタ５１にＳＤカード５４が装着された状態でないと装着判定部６１により判定された状態に移行したタイミングで第２時間（２時間）の計時を開始する。不正取出し検知部６６は、カードコネクタ５１からＳＤカード５４が不正な取出しされた状態を検知するもので、イジェクトボタンスイッチ５２の押下操作がイジェクト操作検知部６３により検知されることを経ることなく、カードコネクタ５１にＳＤカード５４が装着された状態でないと判定された状態をカードコネクタ５１からのＳＤカード５４の不正な取出しとして扱う。第３のタイマ６７は、予め設定された第３時間（例えば１分）の計時を行うもので、カードコネクタ５１からのＳＤカード５４の不正な取出しが不正取出し検知部６６により検知されたタイミングで第３時間（１分）の計時を開始する。
【００１７】
通信処理部６８は、監視端末装置７０に監視センタ７２との通信を行わせるもので、ＳＤカード５４がカードコネクタ５１に装着された状態でないと装着判定部６１により判定された状態で第２のタイマ６５による第２時間（２時間）の計時が終了した場合に、カードコネクタ５１に対するＳＤカード５４の装着し忘れを監視端末装置７０及び通信回線７１を経由して監視センタ７２に通報する機能と、カードコネクタ５１からＳＤカード５４の不正な取出しが不正取出し検知部６６により検知された後、カードコネクタ５１にＳＤカード５４が装着された状態でないと装着判定部６１により判定された状態で第３のタイマ６７による第３時間（１分）の計時が終了した場合に、カードコネクタ５１からのＳＤカード５４に不正な取出しを監視端末装置７０及び通信回線７１を経由して監視センタ７２に通報する機能と、を有する。
【００１８】
表示処理部６９は、表示灯５３の点灯を制御するもので、第１のタイマ６４により第１時間（３０秒）の計時が行われている場合を除き、ＳＤカード５４がカードコネクタ５１に装着された状態であると装着判定部６１により判定されている間、表示灯５３を点灯した状態に維持し、第１のタイマ６４による第１時間（３０秒）の計時の開始から終了までの間は表示灯５３を点滅した状態に維持し、ＳＤカード５４がカードコネクタ５１に装着された状態でないと装着判定部６１により判定されている間は表示灯５３を消灯した状態に維持する。
【００１９】
図４は、記録装置５０に備えられる制御装置６０に係るカード装着検知処理に係る動作処理を示したフローチャートである。また、図５は、図４の動作処理を受ける不正取出し検知処理に係る他の動作処理を示したフローチャートである。このカード装着検知処理に係る動作処理は、記録装置５０に電源が投入される時点で制御装置６０が起動することにより開始されるもので、最初に装着判定部６１がカードコネクタ５１からの装着信号が入力されているか否かにより、カードコネクタ５１にＳＤカード５４が装着されているか否かの判定（ステップＳ１）を行う。この判定の結果、ＳＤカード５４が装着されていなければこの判定（ステップＳ１）の前に戻って処理を繰り返すが、ＳＤカード５４が装着されていれば表示処理部６９が表示灯５３の点灯開始（ステップＳ２）を行うと共に、録画処理部６２が監視カメラ４０からの映像信号をＳＤカード５４に記録（録画）させる録画開始（ステップＳ３）を実行する。
【００２０】
次に、イジェクト操作検知部６３がイジェクトボタンスイッチ５２からの操作信号が制御装置６０に入力されているか否かにより、イジェクトボタンスイッチ５２の押下操作を検知したか否かの判定（ステップＳ４）を行う。この判定の結果、イジェクトボタンスイッチ５２の押下操作が検知されていれば録画処理部６２がＳＤカード５４への記録（録画）を中止させる録画停止（ステップＳ５）を行うと共に、表示処理部６９が表示灯５３の点滅開始（ステップＳ６）を行い、更に第１のタイマ６４が第１時間（３０秒）の計時開始（ステップＳ７）を行う。
【００２１】
この後、装着判定部６１がカードコネクタ５１からの装着信号が入力されているか否かにより、再度カードコネクタ５１にＳＤカード５４が装着されているか否かの判定（ステップＳ８）を行う。この判定の結果、ＳＤカード５４が装着されていれば第１のタイマ６４による第１時間（３０秒）の計時が終了したか否かの判定（ステップＳ９）を行い、計時が終了していなければ先の判定（ステップＳ８）の前に戻って処理を繰り返すが、計時が終了していれば先の表示灯５３の点灯開始（ステップＳ２）及び録画開始（ステップＳ３）の前に戻って表示処理部６９による表示灯５３の点灯を再開させると共に、録画処理部６２による監視カメラ４０からの映像信号のＳＤカード５４に対する記録（録画）を再開させる。
【００２２】
即ち、上述した処理では、イジェクトボタンスイッチ５２の押下操作の時点から第１時間（３０秒）が経過するまでカードコネクタ５１からＳＤカード５４が取出されない場合には、ステップＳ８、Ｓ９において装着判定部６１がカードコネクタ５１にＳＤカード５４が装着された状態であるという判定を第１のタイマ６４による第１時間（３０秒）の計時が終了するまで繰り返す（ステップＳ８でのＹＥＳ→ステップＳ９でのＮＯを繰り返す）処理を行った後、ＳＤカード５４がカードコネクタ５１に装着された状態であると装着判定部６１により判定された状態で第１のタイマ６４による第１時間（３０秒）の計時が終了したタイミング（ステップＳ９でのＹＥＳ）でステップＳ２、Ｓ３に戻り、表示処理部６９による表示灯５３の点灯を再開させると共に、録画処理部６２による監視カメラ４０からの映像信号のＳＤカード５４に対する記録（録画）を再開させる。
【００２３】
また、先のカードコネクタ５１にＳＤカード５４が装着されているか否かの判定（ステップＳ８）の結果、ＳＤカード５４が装着されていなければイジェクトボタンスイッチ５２の押下操作の時点から第１時間（３０秒）以内にカードコネクタ５１からＳＤカード５４が取出された場合に該当するため、第１のタイマ６４による第１時間（３０秒）の計時が終了する前に装着判定部６１がカードコネクタ５１にＳＤカード５４が装着された状態でないと判定するので、引き続いて表示処理部６９が表示灯５３の消灯（ステップＳ１０）を行うと共に、第２のタイマ６５が第２時間（２時間）の計時開始（ステップＳ１１）を行う。
【００２４】
この後、装着判定部６１がカードコネクタ５１からの装着信号が入力されているか否かにより、再度カードコネクタ５１にＳＤカード５４が装着されているか否かの判定（ステップＳ１２）を行う。この判定の結果、ＳＤカード５４が装着されていれば先の表示灯５３の点灯開始（ステップＳ２）及び録画開始（ステップＳ３）の前に戻って表示処理部６９による表示灯５３の点灯を再開させると共に、録画処理部６２による監視カメラ４０からの映像信号のＳＤカード５４に対する記録（録画）を再開させるが、ＳＤカード５４が装着されていなければ第２のタイマ６５による第２時間（２時間）の計時が終了したか否かの判定（ステップＳ１３）を行い、計時が終了していなければ先の判定（ステップＳ１２）の前に戻って処理を繰り返すが、計時が終了していれば通信処理部６８がカードコネクタ５１に対するＳＤカード５４の装着忘れの通報（ステップＳ１４）を監視端末装置７０及び通信回線７１を経由して監視センタ７２に行うようにしてから制御装置６０の動作処理を終了する。
【００２５】
即ち、上述した処理では、カードコネクタ５１からＳＤカード５４が取出された時点から第２時間（２時間）以内にカードコネクタ５１にＳＤカード５４が再び装着されたり、ＳＤカード５４の替わりのＳＤカードが装着されたりする場合に、ステップＳ１２、Ｓ１３において装着判定部６１が第２のタイマ６５による第２時間（２時間）の計時が終了する前（ステップＳ１３のＮＯ）にカードコネクタ５１にＳＤカード５４が装着された状態であると判定（ステップＳ１２のＹＥＳ）してステップＳ２、Ｓ３に戻り、表示処理部６９による表示灯５３の点灯を再開させると共に、録画処理部６２による監視カメラ４０からの映像信号のＳＤカード５４に対する記録（録画）を再開させる。また、カードコネクタ５１にＳＤカード５４や替わりのＳＤカードが装着されない場合に、ステップＳ１２、Ｓ１３において装着判定部６１がカードコネクタ５１にＳＤカード５４が装着された状態でないという判定を第２のタイマ６５による第２時間（２時間）の計時が終了するまで繰り返す（ステップＳ１２でのＮＯ→ステップＳ１３でのＮＯを繰り返す）処理を行った後、ＳＤカード５４がカードコネクタ５１に装着された状態でないと装着判定部６１により判定された状態で第２のタイマ６５による第２時間（２時間）の計時が終了したタイミング（ステップＳ１３でのＹＥＳ）でステップＳ１４に移行する。
【００２６】
ところで、先のイジェクトボタンスイッチ５２の押下操作を検知したか否かの判定（ステップＳ４）の結果、イジェクトボタンスイッチ５２の押下操作が検知されていなければ装着判定部６１がカードコネクタ５１からの装着信号が入力されているか否かにより、再度カードコネクタ５１にＳＤカード５４が装着されているか否かの判定（ステップＳ１５）を行う。この判定の結果、ＳＤカード５４が装着されていれば先のジェクトボタンスイッチ５２の押下操作を検知したか否かの判定（ステップＳ４）の前に戻って処理を繰り返すが、ＳＤカード５４が装着されていなければ表示処理部６８が表示灯５３を消灯（ステップＳ１６）すると共に、第３のタイマ６７が第３時間（１分）の計数開始（ステップＳ１７）を行う。
【００２７】
即ち、上述した処理では、イジェクトボタンスイッチ５２の押下操作が検知されない状態でカードコネクタ５１にＳＤカード５４が装着されている状態でないと装着判定部６１に判定された場合（ステップＳ４でのＮＯ→ステップＳ１５でのＮＯの場合）、ステップ１６において表示処理部６９が表示灯５３を消灯させ、ステップＳ１７において第３のタイマ６７が第３時間（１分）の計時を開始する。
【００２８】
この後、装着判定部６１がカードコネクタ５１からの装着信号が入力されているか否かにより、再度カードコネクタ５１にＳＤカード５４が装着されているか否かの判定（ステップＳ１８）を行う。この判定の結果、ＳＤカード５４が装着されていれば先の表示灯５３の点灯開始（ステップＳ２）及び録画開始（ステップＳ３）の前に戻って表示処理部６９による表示灯５３の点灯を再開させると共に、録画処理部６２による監視カメラ４０からの映像信号のＳＤカード５４に対する記録（録画）を再開させるが、ＳＤカード５４が装着されていなければ第３のタイマ６７による第３時間（１分）の計時が終了したか否かを判定（ステップＳ１９）し、計時が終了していなければ先の判定（ステップＳ１８）の前に戻って処理を繰り返すが、計時が終了していれば通信処理部６８がカードコネクタ５１に対するＳＤカード５４の不正な取出しの通報（ステップＳ２０）を監視端末装置７０及び通信回線７１を経由して監視センタ７２に行うようにしてから制御装置６０の動作処理を終了する。
【００２９】
即ち、上述した処理では、カードコネクタ５１からＳＤカード５４が取出された時点から第３時間（１分）以内にカードコネクタ５１にＳＤカード５４が再び装着されたり、或いはＳＤカード５４の替わりのＳＤカードが装着されたりする場合には、ステップＳ１８、Ｓ１９において装着判定部６１が第３のタイマ６７による第３時間（１分）の計時が終了する前（ステップＳ１９でのＮＯ）にカードコネクタ５１にＳＤカード５４が装着された状態であると判定（ステップＳ１８でのＹＥＳ）してステップＳ２、Ｓ３に戻り、表示処理部６９による表示灯５３の点灯を再開させると共に、録画処理部６２による監視カメラ４０からの映像信号のＳＤカード５４に対する記録（録画）を再開させる。カードコネクタ５１からＳＤカード５４が取出された時点から第３時間（１分）が経過するまでカードコネクタ５１にＳＤカード５４や替わりのＳＤカードが装着されない場合には、ステップＳ１８、Ｓ１９において装着判定部６１がカードコネクタ５１にＳＤカード５４が装着された状態でないという判定を第３のタイマ６７による第３時間（１分）の計時が終了するまで繰り返す（ステップＳ１８でのＮＯ→ステップＳ１９でのＮＯを繰り返す）処理を行った後、ＳＤカード５４がカードコネクタ５１に装着された状態でないと装着判定部６１により判定された状態で第３のタイマ６７による第３時間（１分）の計時が終了したタイミング（ステップＳ１９でのＹＥＳ）でステップＳ２０に移行する。
【００３０】
このように、実施例１に係るエレベータ乗りかご内監視装置３０では、イジェクトボタンスイッチ５２の押圧操作をイジェクト操作検知部６３により検知した後、カードコネクタ５１にＳＤカード５４が装着された状態でないと装着判定部６１が判定した状態で第２のタイマ６５による第２時間（２時間）の計時が終了した場合に、カードコネクタ５１に対するＳＤカード５４の装着し忘れを通信処理部６８により監視端末装置７０及び通信回線７１を経由して監視センタ７２へ通報するため、カードコネクタ５１に対するＳＤカード５４の装着し忘れを監視センタ７２側の監視者が適確に把握することができ、作業ミスを適確に対処することができる。
【００３１】
また、実施例１に係るエレベータ乗りかご内監視装置３０では、イジェクトボタンスイッチ５２の押圧操作がイジェクト操作検知部６３により検知されずにカードコネクタ５１からのＳＤカード５４の不正な取出しが不正取出し検知部６６で検知された後、カードコネクタ５１にＳＤカード５４が装着された状態でないと装着判定部６１により判定した状態（未装着が継続した状態）で不正判定用タイマである第３のタイマ６７による不正取出し判定時間の第３時間（１分）の計時が終了した時点で通信処理部６８により不正取り出しが行われた旨を監視端末装置７０及び通信回線７１を経由して監視センタ７２へ通報するため、カードコネクタ５１からのＳＤカード５４の不正な取出しが悪意を伴わない単なる操作ミスによる場合の対処を配慮し、操作ミスした者がその時点から第３時間（１分）が経過するまでの間にＳＤカード５４をカードコネクタ５１に戻すことで不正な取出しが通報されてしまうことを回避することができ、しかも操作ミスに対処せずに第３時間（１分）を経過した場合には通報を受けた監視センタ７２の監視者がＳＤカード５４の不正な取出しに対して迅速に対応することが可能となる。これにより、記録装置５０からのＳＤカード５４の不正な取出しを適確に検知できて保守管理上の安全性及び信頼性が向上し、結果としてＳＤカード５４の記録装置５０への未装着状態で監視カメラ４０の映像がＳＤカード５４に記録（録画）されない時間を極力短くし得るようになる。
【００３２】
尚、実施例１に係るエレベータ乗りかご内監視装置３０では、記録装置５０の構成として、ＳＤカード５４が装着されるカードコネクタ５１を装着部として備えるものとしたが、係る装着部はＳＤカード５４が装着されるカードコネクタ５１に限定されるものでなく、ＳＤカード５４以外の記録媒体が装着される場合にも適用することができる。また、記録装置５０が本体にイジェクトボタンスイッチ５２を備え、制御装置６０内にはその押下操作を検知するイジェクト操作検知部６３を備える構成としたが、これらの各部を備えなくても同等な機能を構築することが可能である。この場合、通信処理部６８は装着部に記録媒体が装着された状態であると装着判定部６１により判定された状態から装着部に記録媒体が装着された状態でないと装着判定部６１により判定された状態に移行した後、この状態が例えば予め設定された第２時間（２時間）と同等な所定時間継続された場合に、装着部に対する記録媒体の装着し忘れを監視端末装置７０及び通信回線７１を経由して監視センタ７２に通報させるものであれば良い。更に、実施例１の図４及び図５を参照して説明したカード装着検知処理に係る動作処理で例示した第１時間の３０秒、第２時間の２時間、並びに第３時間の１分はあくまでも一例であって、適宜変更することが可能である。従って、本発明のエレベータ乗りかご内監視装置は、実施例１で説明した構成及び機能のものに限定されない。
【符号の説明】
【００３３】
１  乗りかご
１ａ  天井
１０  かご内操作盤
１０ａ  乗客用操作領域
１０ｂ  関係業者用操作領域
１１  行先階登録ボタン
１２  ドア開ボタンスイッチ
１３  ドア閉ボタンスイッチ
２０  扉
２１  低速走行スイッチ
２２  空調スイッチ
３０  エレベータ乗りかご内監視装置
４０  監視カメラ
５０  記録装置
５１  カードコネクタ
５２  イジェクトボタンスイッチ
５３  表示灯
５４  ＳＤカード（記録媒体）
６０  制御装置
６１  装着判定部
６２  録画処理部
６３  イジェクト操作検知部
６４  第１のタイマ
６５  第２のタイマ
６６  不正取出し検知部
６７  第３のタイマ
６８  通信処理部
６９  表示処理部
７０  監視端末装置
７１  通信回線
７２  監視センタ
８０  保守端末装置（情報機器）
８０ａ  表示部
【図１】
0006051139.tif 000002
【図２】
0006051139.tif 000003
【図３】
0006051139.tif 000004
【図４】
0006051139.tif 000005
【図５】
0006051139.tif 000006